(57)【要約】【課題】紙片を取り出し可能に収納する構成において、紙片と紙片を収納するものとに関連する情報を処理を煩雑にすることなく印刷することができるとともに、紙片と紙片を収納するものとを丁合する必要をなくす。【解決手段】折り部３２ａ〜３２ｃを介して蛇腹状に折り畳み可能に連接した複数の中間片部２０ａ〜２０ｄと、複数の中間片部２０ａ〜２０ｄのうち複数の中間片部２０ａ〜２０ｄの連接方向両端部に位置する中間片部２０ａ，２０ｄにそれぞれ折り部３１ａ，３１ｂを介して折り畳み可能に連接した表面片部１０ａ，１０ｂとを有し、中間片部２０ａ〜２０ｄが、折り部３２ａ，３２ｃを介して隣接する中間片部に跨って切り離し可能に区画形成された切り離し部２１ａ，２１ｂを有し、この切り離し部２１ａ，２１ｂを取り出し可能に収納する。【選択図】図１
2010162838.tif 000002
【特許請求の範囲】
【請求項１】
第１の折り部を介して蛇腹状に折り畳み可能に連接した複数の中間片部と、
前記複数の中間片部のうち該複数の中間片部の連接方向両端部に位置する中間片部にそれぞれ第２の折り部を介して折り畳み可能に連接した表面片部とを有し、
前記複数の中間片部は、
前記複数の中間片部の連接方向両側部となる領域にそれぞれ設けられ、前記複数の中間片部が前記第１の折り部を介して蛇腹状に折り畳まれた場合に、前記第１の折り部を介して隣接する中間片部に貼着される貼着部と、
前記貼着部に挟まれる領域に設けられ、前記第１の折り部を介して隣接する中間片部に跨って切り離し可能に区画形成された切り離し部とを有する紙片収納体。
【請求項２】
請求項１に記載の紙片収納体において、
前記中間片部を４つ以上有し、
前記切り離し部は、当該切り離し部が跨る中間片部間の第１の折り部に沿う領域にて互いに貼着されている紙片収納体。
【請求項３】
請求項１に記載の紙片収納体において、
前記中間片部を４つ以上有し、
前記切り離し部は、当該切り離し部が跨る中間片部間の第１の折り部に対向する辺部に沿う領域にて互いに貼着されている紙片収納体。
【発明の詳細な説明】
【技術分野】
【０００１】
本発明は、紙片を取り出し可能に収納する紙片収納体に関する。
【背景技術】
【０００２】
従来より、ダイレクトメール等といった郵送等によって送付される送付物においては、差出人が受取人に通知したい情報が文字や画像として所定の用紙に印字されており、そのほとんどが、封筒等の袋に封入、封緘され、袋体として受取人に送付されている。このような袋体は、送付物の種類や送付先に応じて決められた組み合わせの印刷物が丁合され、封筒等の袋に封入されて構成される。
【０００３】
近年、このような複数枚の印刷物を綴じ合わせて封筒とする技術が考えられている（例えば、特許文献１参照。）。この技術においては、封筒外形紙の封筒内面となる片面側に複数枚の印刷物が綴じ合わされ、複数枚の印刷物が内方となるように封筒外形紙が折り合わされ、封筒外形紙の３辺に沿う領域にて封緘されることにより、複数枚の印刷物が取り出し可能に収納されることになり、収納される印刷物の欠落を防止することができるようになる。
【先行技術文献】
【特許文献】
【０００４】
【特許文献１】特開平９−３２３７３２号公報
【発明の概要】
【発明が解決しようとする課題】
【０００５】
しかしながら、上述したように複数枚の印刷物を綴じ合わせて封筒とするものにおいては、１つの封筒外形紙に綴じ合わされる複数枚の印刷物が別々に印刷されることになるため、封筒外形紙と、これに綴じ合わされる複数の印刷物とに互いに関連する情報を印刷する場合、それらの情報の組み合わせを管理する必要が生じてしまうとともに、封筒外形紙と複数枚の印刷物とを丁合する工程が必要となり、処理が煩雑になってしまうという問題点がある。
【０００６】
本発明は、上述したような従来の技術が有する問題点に鑑みてなされたものであって、紙片を取り出し可能に収納する構成において、紙片と紙片を収納するものとに関連する情報を、処理を煩雑にすることなく印刷することができるとともに、紙片と紙片を収納するものとを丁合する必要がない紙片収納体を提供することを目的とする。
【課題を解決するための手段】
【０００７】
上記目的を達成するために本発明は、
第１の折り部を介して蛇腹状に折り畳み可能に連接した複数の中間片部と、
前記複数の中間片部のうち該複数の中間片部の連接方向両端部に位置する中間片部にそれぞれ第２の折り部を介して折り畳み可能に連接した表面片部とを有し、
前記複数の中間片部は、
前記複数の中間片部の連接方向両側部となる領域にそれぞれ設けられ、前記複数の中間片部が前記第１の折り部を介して蛇腹状に折り畳まれた場合に、前記第１の折り部を介して隣接する中間片部に貼着される貼着部と、
前記貼着部に挟まれる領域に設けられ、前記第１の折り部を介して隣接する中間片部に跨って切り離し可能に区画形成された切り離し部とを有する。
【０００８】
上記のように構成された本発明においては、複数の中間片部及びこれに連接した表面片部を第１及び第２の折り部を介して蛇腹状に折り畳み、複数の中間片部の連接方向両側部に設けられた貼着部において複数の中間片部を互いに貼着する。この状態において、複数の中間片部に区画形成された切り離し部を、この切り離し部が隣接する中間片部に跨る第１の折り部側から引っ張ることにより、中間片部から切り離して取り出すことになる。
【０００９】
このように、収納される切り離し部が、紙片収納体を構成する複数の中間片部に切り離し可能に区画形成されているので、印刷が容易となるとともに、丁合作業が必要ない。
【００１０】
また、中間片部を４つ以上有し、切り離し部がその切り離し部が跨る中間片部間の第１の折り部に沿う領域にて互いに貼着されていれば、上述したように切り離し部を取り出した場合、複数の中間片部にて隣接する中間片部に跨った切り離し部どうしが第１の折り部に沿う領域を中心として見開く冊子形態となる。
【００１１】
また、中間片部を４つ以上有し、切り離し部がその切り離し部が跨る中間片部間の第１の折り部に対向する辺部に沿う領域にて互いに貼着されていれば、上述したように切り離し部を取り出した場合、複数の中間片部にて隣接する中間片部に跨った切り離し部どうしが、第１の折り部に対向する辺部に沿う領域にて連接した形態となる。
【発明の効果】
【００１２】
以上説明したように本発明においては、第１の折り部を介して蛇腹状に折り畳み可能に連接した複数の中間片部と、複数の中間片部のうち複数の中間片部の連接方向両端部に位置する中間片部にそれぞれ第２の折り部を介して折り畳み可能に連接した表面片部とを有し、複数の中間片部が、第１の折り部を介して隣接する中間片部に跨って切り離し可能に区画形成された切り離し部を有し、この切り離し部を取り出し可能に収納する構成としたため、切り離し部とこの切り離し部を収納するものとに、関連する情報を処理を煩雑にすることなく印刷することができるとともに、切り離し部とこの切り離し部を収納するものとを丁合する必要がなくなる。
【００１３】
また、中間片部を４つ以上有し、切り離し部がその切り離し部が跨る中間片部間の第１の折り部に沿う領域にて互いに貼着されている構成としたものにおいては、切り離し部を中間片部から切り離した場合、複数の中間片部にて隣接する中間片部に跨った切り離し部どうしが第１の折り部に沿う領域を中心として見開く冊子形態とすることができる。
【００１４】
また、中間片部を４つ以上有し、切り離し部がその切り離し部が跨る中間片部間の第１の折り部に対向する辺部に沿う領域にて互いに貼着されている構成としたものにおいては、切り離し部を中間片部から切り離した場合、複数の中間片部にて隣接する中間片部に跨った切り離し部どうしが、第１の折り部に対向する辺部に沿う領域にて連接した形態とすることができる。
【図面の簡単な説明】
【００１５】
【図１】本発明の紙片収納体の第１の実施の形態を示す図であり、（ａ）は展開した状態の一方の面を示す図、（ｂ）は展開した状態の他方の面を示す図、（ｃ）は折り畳んだ状態の正面図、（ｄ）は（ｃ）に示したＡ−Ａ’断面図、（ｅ）は（ｃ）に示したＢ−Ｂ’断面図である。
【図２】図１に示した紙片収納体の使用方法を説明するための図である。
【図３】本発明の紙片収納体の第２の実施の形態を示す図であり、（ａ）は展開した状態の一方の面を示す図、（ｂ）は展開した状態の他方の面を示す図、（ｃ）は折り畳んだ状態の正面図、（ｄ）は（ｃ）に示したＡ−Ａ’断面図、（ｅ）は（ｃ）に示したＢ−Ｂ’断面図である。
【図４】図３に示した紙片収納体の使用方法を説明するための図である。
【発明を実施するための形態】
【００１６】
以下に、本発明の実施の形態について図面を参照して説明する。
【００１７】
（第１の実施の形態）
図１は、本発明の紙片収納体の第１の実施の形態を示す図であり、（ａ）は展開した状態の一方の面を示す図、（ｂ）は展開した状態の他方の面を示す図、（ｃ）は折り畳んだ状態の正面図、（ｄ）は（ｃ）に示したＡ−Ａ’断面図、（ｅ）は（ｃ）に示したＢ−Ｂ’断面図である。
【００１８】
本形態は図１（ａ），（ｂ）に示すように、４つの中間片部２０ａ〜２０ｄが第１の折り部３２ａ〜３２ｃを介して連接するとともに、中間片部２０ａ〜２０ｄのうち、中間片部２０ａ〜２０ｄの連接方向両端部に位置する中間片部２０ａ，２０ｄに表面片部１０ａ，１０ｂが第２の折り部３１ａ，３１ｂを介してそれぞれ連接して構成されている。
【００１９】
中間片部２０ａ〜２０ｄのそれぞれは、一方の面において、中間片部２０ａ〜２０ｄの連接方向両側部となる領域に粘着剤４１が塗布されているとともに、中間片部２０ｂ，２０ｃは、その反対側の面にも、中間片部２０ａ〜２０ｄの連接方向両側部となる領域に粘着剤４１が塗布されており、これらによって貼着部がそれぞれ構成されている。また、２つの中間片部２０ａ，２０ｂに渡ってミシン目２２ａが形成されており、このミシン目２２ａによって囲まれる領域が切り離し部２１ａとなっている。すなわち、切り離し部２１ａは、ミシン目２２ａが２つの中間片部２０ａ，２０ｂに渡って形成されることにより、折り部３２ａを介して中間片部２０ａ，２０ｂを跨って切り離し可能に区画形成されていることになる。また、中間片部２０ｃ，２０ｄについても同様に、中間片部２０ｃ，２０ｄに渡ってミシン目２２ｂが形成されており、このミシン目２２ｂによって囲まれる領域が切り離し部２１ｂとなっている。すなわち、切り離し部２１ｂは、ミシン目２２ｂが２つの中間片部２０ｃ，２０ｄに渡って形成されることにより、折り部３２ｃを介して中間片部２０ｃ，２０ｄを跨って切り離し可能に区画形成されていることになる。また、切り離し部２１ａ，２１ｂにおいては、中間片部２０ａ，２０ｄの粘着剤４１が塗布されていない面と同一面側において、中間片部２０ｂ，２０ｃの切り離し部２１ａ，２１ｂが跨る折り部３２ａ，３２ｃに沿う領域に粘着剤４２が塗布されている。
【００２０】
表面片部１０ａ，１０ｂのそれぞれは、中間片部２０ｂ，２０ｃの粘着剤４２が塗布された面と同一面側に剥離可能層５０が積層されている。剥離可能層５０は、折り部３１ａ，３１ｂを介して表面片部１０ａ，１０ｂと中間片部２０ａ，２０ｄとをそれぞれ折り畳んで加圧した場合にこれらを互いに接着し、接着後の剥離を可能、再接着を不可とするものであって、感圧接着剤や、その他に、例えば、０．５Ｍｐａ以上１０Ｍｐａ以下の圧力でシートどうしを接着可能な非感圧性の水性エマルジョン粘着剤を用いることが考えられる。
【００２１】
このように構成された紙片収納体１は、図１（ｃ）〜（ｅ）に示すように、表面片部１０ａ，１０ｂと中間片部２０ａ〜２０ｄとが折り部３１ａ，３１ｂ，３２ａ〜３２ｃにて蛇腹状に折り畳まれて使用される。また、図１（ａ），（ｂ）に示したように、表面片部１０ａ，１０ｂと中間片部２０ａ〜２０ｄとが折り部３１ａ，３１ｂ，３２ａ〜３２ｃにて折り畳まれていない状態において、表面片部１０ａ，１０ｂと中間片部２０ａ〜２０ｄとにそれぞれ必要な情報が印刷される。これにより、中間片部２０ａ〜２０ｄに区画形成された切り離し部２１ａ，２１ｂにも、表面片部１０ａ，１０ｂ及び中間片部２０ａ〜２０ｄに対する印刷工程において情報が印刷されることになる。
【００２２】
表面片部１０ａと中間片部２０ａとは、表面片部１０ａの剥離可能層５０が積層された面が内側となるように折り部３１ａにて折り畳まれ、剥離可能層５０によってその全面が剥離可能に貼着される。
【００２３】
中間片部２０ａと中間片部２０ｂとは、中間片部２０ｂの粘着剤４２が塗布された面が外側となるように折り部３２ａにて折り畳まれ、中間片部２０ａ〜２０ｄの連接方向両側部にて粘着剤４１によって貼着される。
【００２４】
中間片部２０ｂと中間片部２０ｃとは、中間片部２０ｂ，２０ｃの粘着剤４２が塗布された面が内側となるように折り部３２ｂにて折り畳まれ、中間片部２０ａ〜２０ｄの連接方向両側部にて粘着剤４１によって貼着される。また、中間片部２０ｂ，２０ｃに区画形成された切り離し部２１ａ，２１ｂが、この切り離し部２１ａ，２１ｂが跨る折り部３２ａ，３２ｃに沿う領域にて粘着剤４２によって貼着される。
【００２５】
中間片部２０ｃと中間片部２０ｄとは、中間片部２０ｃの粘着剤４２が塗布された面が外側となるように折り部３２ｃにて折り畳まれ、中間片部２０ａ〜２０ｄの連接方向両側部にて粘着剤４１によって貼着される。
【００２６】
表面片部１０ｂと中間片部２０ｄとは、表面片部１０ｂの剥離可能層５０が積層された面が内側となるように折り部３１ｂにて折り畳まれ、剥離可能層５０によってその全面が剥離可能に貼着される。
【００２７】
このように、折り部３１ａ，３１ｂ，３２ａ〜３２ｃを介して連接した表面片部１０ａ，１０ｂ及び中間片部２０ａ〜２０ｄは、折り部３１ａ，３１ｂ，３２ａ〜３２ｃにて蛇腹状に折り畳まれることになる。
【００２８】
以下に、上記のように構成された紙片収納体１の使用方法について説明する。
【００２９】
図２は、図１に示した紙片収納体１の使用方法を説明するための図である。
【００３０】
図１に示した紙片収納体１は、上述したように、表面片部１０ａ，１０ｂ及び中間片部２０ａ〜２０ｄが、折り部３１ａ，３１ｂ，３２ａ〜３２ｃにて蛇腹状に折り畳まれた状態として、配布されたり郵送されたりする。
【００３１】
そして、紙片収納体１に収納された切り離し部２１ａ，２１ｂを取り出す場合は、まず、図２（ａ）に示すように、表面片部１０ａを中間片部２０ａから剥離していく。表面片部１０ａは中間片部２０ａに貼着されているものの、その貼着は剥離可能層５０によるものであるため、表面片部１０ａを中間片部２０ａから剥離することができる。また、同様に、表面片部１０ｂを中間片部２０ｄから剥離していく。表面片部１０ｂは中間片部２０ｄに貼着されているものの、その貼着は剥離可能層５０によるものであるため、表面片部１０ｂを中間片部２０ｄから剥離することができる。
【００３２】
表面片部１０ａ，１０ｂを中間片部２０ａ，２０ｄからそれぞれ剥離すると、図２（ｂ）に示すように、表面片１０ａ，１０ｂと中間片部２０ａ，２０ｄとがそれぞれ見開かれた状態となる。
【００３３】
その後、中間片部２０ａ〜２０ｄにそれぞれ区画形成された切り離し部２１ａ，２１ｂを、折り部３２ａ，３２ｃ側から引っ張ることにより、中間片部２０ａ〜２０ｄにそれぞれ形成されたミシン目２２ａ，２２ｂを破断し、それにより、図２（ｃ）に示すように、切り離し部２１ａ，２１ｂを中間片部２０ａ〜２０ｄから切り離す。
【００３４】
中間片部２０ａ〜２０ｄから切り離された切り離し部２１ａ，２１ｂは、この切り離し部２１ａ，２１ｂが跨る折り部３２ａ，３２ｃに沿う領域にて粘着剤４２によって貼着されているため、図２（ｄ）に示すように、折り部３２ａ，３２ｃに沿う領域を中心として見開く冊子形態となる。このように紙片収納体１から取り出された切り離し部２１ａ，２１ｂには情報が印刷されているが、上述したように、切り離し部２１ａ，２１ｂには、表面片部１０ａ，１０ｂ及び中間片部２０ａ〜２０ｄに対する印刷工程において情報が印刷されるため、切り離し部２１ａ，２１ｂと表面片部１０ａ，１０ｂ及び中間片部２０ａ〜２０ｄの切り離し部２１ａ，２１ｂ以外の領域とに関連する情報を、処理を煩雑にすることなく印刷することができるとともに、切り離し部２１ａ，２１ｂと表面片部１０ａ，１０ｂ及び中間片部２０ａ〜２０ｄの切り離し部２１ａ，２１ｂ以外の領域とを丁合する必要がなくなる。
【００３５】
なお、本形態においては、表面片部１０ａ，１０ｂのそれぞれのうち、中間片部２０ｂ，２０ｃの粘着剤４２が塗布された面と同一面側に剥離可能層５０が積層されており、それにより、折り部３１ａ，３１ｂにて折り畳まれた場合に、表面片部１０ａ，１０ｂと中間片部２０ａ，２０ｂが剥離可能に貼着されるものを例に挙げて説明したが、表面片部１０ａ，１０ｂに剥離可能層５０を積層するのではなく、中間片部２０ａ，２０ｂの折り部３１ａ，３１ｂにて折り畳まれた場合に表面片部１０ａ，１０ｂに対向する面に剥離可能層５０を積層したり、表面片部１０ａ，１０ｂ及び中間片部２０ｂ，２０ｃの折り部３１ａ，３１ｂにて折り畳まれた場合に互いに対向する面にそれぞれ剥離可能層５０を積層したりする構成であってもよい。
【００３６】
（第２の実施の形態）
図３は、本発明の紙片収納体の第２の実施の形態を示す図であり、（ａ）は展開した状態の一方の面を示す図、（ｂ）は展開した状態の他方の面を示す図、（ｃ）は折り畳んだ状態の正面図、（ｄ）は（ｃ）に示したＡ−Ａ’断面図、（ｅ）は（ｃ）に示したＢ−Ｂ’断面図である。
【００３７】
本形態は図３（ａ），（ｂ）に示すように、４つの中間片部１２０ａ〜１２０ｄが第１の折り部１３２ａ〜１３２ｃを介して連接するとともに、中間片部１２０ａ〜１２０ｄのうち、中間片部１２０ａ〜１２０ｄの連接方向両端部に位置する中間片部１２０ａ，１２０ｄに表面片部１１０ａ，１１０ｂが第２の折り部１３１ａ，１３１ｂを介してそれぞれ連接して構成されている。
【００３８】
中間片部１２０ａ〜１２０ｄのそれぞれは、その両面において、中間片部１２０ａ〜１２０ｄの連接方向両側部となる領域に粘着剤１４１が塗布されており、これらによって貼着部がそれぞれ構成されている。また、２つの中間片部１２０ａ，１２０ｂに渡ってミシン目１２２ａが形成されており、このミシン目１２２ａによって囲まれる領域が切り離し部１２１ａとなっている。すなわち、切り離し部１２１ａは、ミシン目１２２ａが２つの中間片部１２０ａ，１２０ｂに渡って形成されることにより、折り部１３２ａを介して中間片部１２０ａ，１２０ｂを跨って切り離し可能に区画形成されていることになる。また、中間片部１２０ｃ，１２０ｄについても同様に、中間片部１２０ｃ，１２０ｄに渡ってミシン目１２２ｂが形成されており、このミシン目１２２ｂによって囲まれる領域が切り離し部１２１ｂとなっている。すなわち、切り離し部１２１ｂは、ミシン目１２２ｂが２つの中間片部１２０ｃ，１２０ｄに渡って形成されることにより、折り部１３２ｃを介して中間片部１２０ｃ，１２０ｄを跨って切り離し可能に区画形成されていることになる。また、切り離し部１２１ａ，１２１ｂにおいては、一方の面において、中間片部１２０ｂ，１２０ｃの切り離し部１２１ａ，１２１ｂが跨る折り部１３２ａ，１３２ｃに対向する辺部に沿う領域に粘着剤１４２が塗布されている。
【００３９】
表面片部１１０ａ，１１０ｂのそれぞれは、中間片部１２０ｂ，１２０ｃの粘着剤１４２が塗布された面と同一面側において、中間片部１２０ａ，１２０ｄとの連接方向両側部となる領域に粘着剤１４１がそれぞれ塗布されている。また、折り部１３１ａ，１３１ｂに対向する辺部には、半円状の切り欠き１１１ａ，１１１ｂが形成されている。
【００４０】
このように構成された紙片収納体１は、図３（ｃ）〜（ｅ）に示すように、表面片部１１０ａ，１１０ｂと中間片部１２０ａ〜１２０ｄとが折り部１３１ａ，１３１ｂ，１３２ａ〜１３２ｃにて蛇腹状に折り畳まれて使用される。また、図３（ａ），（ｂ）に示したように、表面片部１１０ａ，１１０ｂと中間片部１２０ａ〜１２０ｄとが折り部１３１ａ，１３１ｂ，１３２ａ〜１３２ｃにて折り畳まれていない状態において、表面片部１１０ａ，１１０ｂと中間片部１２０ａ〜１２０ｄとにそれぞれ必要な情報が印刷される。これにより、中間片部１２０ａ〜１２０ｄに区画形成された切り離し部１２１ａ，１２１ｂにも、表面片部１１０ａ，１１０ｂ及び中間片部１２０ａ〜１２０ｄに対する印刷工程において情報が印刷されることになる。
【００４１】
表面片部１１０ａと中間片部１２０ａとは、表面片部１１０ａの粘着剤１４１が塗布された面が内側となるように折り部１３１ａにて折り畳まれ、表面片部１１０ａ及び中間片部１２０ａにそれぞれ塗布された粘着剤１４１によって、表面片部１１０ａと中間片部１２０ａとの連接方向両側部にて貼着される。
【００４２】
中間片部１２０ａと中間片部１２０ｂとは、中間片部１２０ｂの粘着剤１４２が塗布された面が外側となるように折り部１３２ａにて折り畳まれ、中間片部１２０ａ〜１２０ｄの連接方向両側部にて粘着剤１４１によって貼着される。
【００４３】
中間片部１２０ｂと中間片部１２０ｃとは、中間片部１２０ｂ，１２０ｃの粘着剤１４２が塗布された面が内側となるように折り部１３２ｂにて折り畳まれ、中間片部１２０ａ〜１２０ｄの連接方向両側部にて粘着剤１４１によって貼着される。また、中間片部１２０ｂ，１２０ｃに区画形成された切り離し部１２１ａ，１２１ｂが、この切り離し部１２１ａ，１２１ｂが跨る折り部１３２ａ，１３２ｃに対向する辺部に沿う領域にて粘着剤１４２によって貼着される。
【００４４】
中間片部１２０ｃと中間片部１２０ｄとは、中間片部１２０ｃの粘着剤１４２が塗布された面が外側となるように折り部１３２ｃにて折り畳まれ、中間片部１２０ａ〜１２０ｄの連接方向両側部にて粘着剤１４１によって貼着される。
【００４５】
表面片部１１０ｂと中間片部１２０ｄとは、表面片部１１０ｂの粘着剤１４１が塗布された面が内側となるように折り部１３１ｂにて折り畳まれ、表面片部１１０ｂ及び中間片部１２０ｄにそれぞれ塗布された粘着剤１４１によって、表面片部１１０ｂと中間片部１２０ｄとの連接方向両側部にて貼着される。
【００４６】
このように、折り部１３１ａ，１３１ｂ，１３２ａ〜１３２ｃを介して連接した表面片部１１０ａ，１１０ｂ及び中間片部１２０ａ〜１２０ｄは、折り部１３１ａ，１３１ｂ，１３２ａ〜１３２ｃにて蛇腹状に折り畳まれることになる。
【００４７】
以下に、上記のように構成された紙片収納体１０１の使用方法について説明する。
【００４８】
図４は、図３に示した紙片収納体１０１の使用方法を説明するための図である。
【００４９】
図３に示した紙片収納体１０１は、上述したように、表面片部１１０ａ，１１０ｂ及び中間片部１２０ａ〜１２０ｄが、折り部１３１ａ，１３１ｂ，１３２ａ〜１３２ｃにて蛇腹状に折り畳まれた状態として、配布されたり郵送されたりする。
【００５０】
表面片部１１０ａ，１１０ｂ及び中間片部１２０ａ〜１２０ｄが、折り部１３１ａ，１３１ｂ，１３２ａ〜１３２ｃにて蛇腹状に折り畳まれた状態から、紙片収納体１０１に収納された切り離し部１２１ａ，１２１ｂを取り出す場合は、図４（ａ）に示すように、表面片部１１０ａ，１１０ｂに形成された切り欠き１１１ａ，１１１ｂから表出した中間片部１２０ａ，１２０ｄを中間片部１２０ｂ，１２０ｃを挟んだ状態で摘み、折り部１３２ａ，１３２ｃ側から引っ張る。
【００５１】
すると、中間片部１２０ａ〜１２０ｄにそれぞれ形成されたミシン目１２２ａ，１２２ｂが破断し、それにより、図４（ｂ）に示すように、切り離し部１２１ａ，１２１ｂが中間片部１２０ａ〜１２０ｄから切り離される。
【００５２】
中間片部１２０ａ〜１２０ｄから切り離された切り離し部１２１ａ，１２１ｂは、この切り離し部１２１ａ，１２１ｂが跨る折り部１３２ａ，１３２ｃに対向する辺部に沿う領域にて粘着剤１４２によって貼着されているため、図４（ｃ）に示すように、切り離し部１２１ａ，１２１ｂが跨る折り部１３２ａ，１３２ｃに対向する辺部に沿う領域にて連接した形態となる。このように紙片収納体１０１から取り出された切り離し部１２１ａ，１２１ｂには情報が印刷されているが、上述したように、切り離し部１２１ａ，１２１ｂには、表面片部１１０ａ，１１０ｂ及び中間片部１２０ａ〜１２０ｄに対する印刷工程において情報が印刷されるため、切り離し部１２１ａ，１２１ｂと表面片部１１０ａ，１１０ｂ及び中間片部１２０ａ〜１２０ｄの切り離し部１２１ａ，１２１ｂ以外の領域とに関連する情報を、処理を煩雑にすることなく印刷することができるとともに、切り離し部１２１ａ，１２１ｂと表面片部１１０ａ，１１０ｂ及び中間片部１２０ａ〜１２０ｄの切り離し部１２１ａ，１２１ｂ以外の領域とを丁合する必要がなくなる。
【００５３】
なお、本形態においては、表面片部１１０ａ，１１０ｂの折り部１３１ａ，１３１ｂに対向する辺部に切り欠き１１１ａ，１１１ｂを形成し、その切り欠き１１１ａ，１１１ｂから表出した中間片部１２０ａ，１２０ｄを摘んでいるが、表面片部１１０ａ，１１０ｂと中間片部１２０ａ，１２０ｂとは、表面片部１１０ａ，１１０ｂと中間片部１２０ａ，１２０ｂとの連接方向両側部のみにて粘着剤１４１によって貼着されているため、表面片部１１０ａ，１１０ｂに切り欠き１１１ａ，１１１ｂを形成しなくても、表面片部１１０ａ，１１０ｂと切り離し部１２１ａ，１２１ｂとの間に空間を形成し、その空間から指を挿入して切り離し部１２１ａ，１２１ｂを摘むことができる。
【００５４】
また、上述した２つの実施の形態においては、中間片部２０ａ〜２０ｄ，１２０ａ〜１２０ｄから切り離されて紙片収納体１，１０１から取り出された切り離し部２１ａ，２１ｂ，１２１ａ，１２１ｂが、折り部３２ａ，３２ｃに沿う領域を中心として見開く冊子形態であったり、折り部１３２ａ，１３２ｃに対向する辺部に沿う領域にて連接した形態であったりするが、中間片部２０ａ〜２０ｄ，１２０ａ〜１２０ｄから切り離されて紙片収納体１，１０１から取り出された切り離し部２１ａ，２１ｂ，１２１ａ，１２１ｂは、それぞれ別体となるものであってもよい。
【００５５】
また、上述した２つの実施の形態においては、中間片部２０ａ〜２０ｄ，１２０ａ〜１２０ｄや表面片部１０ａ，１０ｂ，１１０ａ，１１０ｂが、その連接方向両側部にて粘着剤４１，１４１によって貼着されているが、粘着剤４１，１４１としては、中間片部２０ａ〜２０ｄ，１２０ａ〜１２０ｄや表面片部１０ａ，１０ｂ，１１０ａ，１１０ｂを、その連接方向両側部にて貼着した後の剥離が困難となるものや、中間片部２０ａ〜２０ｄ，１２０ａ〜１２０ｄや表面片部１０ａ，１０ｂ，１１０ａ，１１０ｂを、その連接方向両側部にて貼着した後の剥離が可能となるもの等、用途に応じて適宜選択することとなる。粘着剤４１，１４１として、中間片部２０ａ〜２０ｄ，１２０ａ〜１２０ｄや表面片部１０ａ，１０ｂ，１１０ａ，１１０ｂを、その連接方向両側部にて貼着した後の剥離が可能となるものを用いた場合は、中間片部２０ａ〜２０ｄ，１２０ａ〜１２０ｄから切り離し部２１ａ，２１ｂ，１２１ａ，１２１ｂを切り離した後に、互いに貼着されていた中間片部２０ａ〜２０ｄ，１２０ａ〜１２０ｄや表面片部１０ａ，１０ｂ，１１０ａ，１１０ｂを剥離して見開くことができる。
【００５６】
また、中間片部の数は、上述したような４つに限らない。ただし、中間片部から切り離されて紙片収納体から取り出された場合に、折り部に沿う領域を中心として見開く冊子形態であったり、折り部に対向する辺部に沿う領域にて連接した形態であったりするためには、４つ以上の中間片部を有する必要がある。
【符号の説明】
【００５７】
１，１０１    紙片収納体
１０ａ，１０ｂ，１１０ａ，１１０ｂ    表面片部
２０ａ〜２０ｄ，１２０ａ〜１２０ｄ    中間片部
２１ａ，２１ｂ，１２１ａ，１２１ｂ    切り離し部
２２ａ，２２ｂ，１２２ａ，１２２ｂ    ミシン目
３１ａ，３１ｂ，３２ａ〜３２ｃ，１３１ａ，１３１ｂ，１３２ａ〜１３２ｃ    折り部
４１，４２，１４１，１４２    粘着剤
５０    剥離可能層
１１１ａ，１１１ｂ    切り欠き
【図１】
2010162838.tif 000003
【図２】
2010162838.tif 000004
【図３】
2010162838.tif 000005
【図４】
2010162838.tif 000006